【事件の表示】
　平成　５年特許願第２８１１８３号「データ記録装置、およびデータ再生装置」拒絶査定不服審判事件〔平成　７年　５月２３日出願公開、特開平　７−１３４８７１〕について、次のとおり審決する。
【結　論】
　本件審判の請求は、成り立たない。
【理　由】
１．手続の経緯・本願発明
　本願は、平成５年１１月１０日の出願であって、その請求項１〜５に係る発明は、平成１７年５月２０日付けの手続補正書で補正された明細書の特許請求の範囲の請求項１〜５に記載されたとおりのものであって、その請求項３に係る発明（以下、「本願発明」という。）は、次のとおりのものである。
　
　
「複数のトラックとして記録されている複数の記録データと、複数の前記トラックにアクセスするためのトラックアクセス情報と、自動的に再生される自動再生トラックとして記録されている自動再生データと、前記自動再生トラックであることを指定している自動再生トラック指定情報と、および前記自動再生トラックの開始位置を表す自動再生トラック開始位置情報が記録されている領域を備える記録媒体を再生するデータ再生装置において、前記記録媒体を再生する再生手段と、前記再生手段により再生された信号から、前記自動再生トラック指定情報および前記自動再生トラック開始位置情報を分離する分離手段と、前記分離手段により分離された前記自動再生トラック指定情報に対応して、前記記録媒体が装着された場合に前記自動再生トラックを前記自動再生トラック開始位置から自動的に再生する自動再生手段とを備え、前記自動再生手段は、前記自動再生トラックを再生中に他の再生トラックの再生が指令されても、当該自動再生トラックの終了位置まで再生を継続することを特徴とするデータ再生装置。」
　
　
２．引用例に記載された発明
１）第１引用例
　これに対して、当審における、平成１７年３月２２日付けの拒絶の理由で引用された特開平５−１５９４６７号公報（以下、「第１引用例」という。）には、図面とともに次の技術事項が記載されている。
（ａ）
「【０００１】
【産業上の利用分野】本発明は、ディスクのリードインエリアの副信号部にディスク管理情報とその他の種々のデータを記録したディスク及びディスク再生装置に関するものである。」
　
（ｂ）
「【０００３】図３はＣＤのリードインエリアにおける副信号のフォーマットを示した説明図である。本図においてCNT,ADR は、POINT で示されるトラックの主信号のデータの属性を示し、音声データかその他のデータかを示す制御コードである。又ＣＤはトラック単位で分割されており、通常のＣＤでは１，２・・曲目はトラック１，２・・に夫々記録される。このようにPOINT はそのトラック番号をＢＣＤコードで示したものである。次に、IXは１つのトラックを更に細分したブロックを示すインデックス番号であ。MIN ，SEC ，FRAM  は、各トラック内に記録されたデータの時間であり、そのトラック先頭位置からそのトラックの終了までの時間を分，秒，フレーム数で示したものである。PMIN，PSEC，PFRAは、各トラックのデータの絶対時間であり、ＣＤの先頭位置からの累積時間を示している。本図の下段に示す数字は各データのビット数を示しており、この表は全体で１０バイトで構成される単位情報である。そしてこの各単位情報がＣＤのリードインエリアにおけるディスク管理情報を構成している。」
　
（ｃ）
「【０００６】図５は従来のＣＤに記録される副信号におけるディスク管理情報の詳細を示すテーブルである。制御コード（CNT ADR ）＝０１、POINT ＝Ａ０のトラックには、ＣＤ１内の開始トラックナンバ（例えば０１）がPMINの領域に記録される。制御コード＝０１、POINT ＝Ａ１のトラックには、ＣＤ１内の最終トラックナンバ（例えば０５）がPMINの領域に記録される。制御コード＝０１、POINT ＝Ａ２のトラックには、ＣＤの記録領域の終了位置にあたるリードアウトエリアの開始時間がPMIN，PSEC、PFRAの領域に絶対時間で記録される（例えば35分46秒62フレーム）。制御コード＝０１、POINT ＝０１，０２，０３，０４，０５の夫々のトラックには、トラックナンバ０１，０２，０３，０４，０５の各々の開始時間がPMIN，PSEC，PFRAの領域に絶対時間で記録される（例えばトラックナンバ０２の曲は、５分２３秒７２フレーム）。一般の音楽用ＣＤのディスク再生装置は、予めこのディスク管理情報を読み取ってから音声の再生を行うよう構成されている。」
　
（ｄ）
「【０００９】
【発明が解決しようとする課題】しかしながら上記の従来の構成では、ＣＤ１をディスク再生装置にセットするとき、又はセットしたままディスク再生装置の電源を一旦切って再び電源を入れた場合に、セットされているＣＤ１内の総トラック数や音楽再生の総時間しか使用者に知らせることができず、ディスクのタイトル名やその他の概要を予め知ることができないという問題点を有していた。
【００１０】本発明はこのような従来の問題点に鑑みてなされたものであって、ＣＤのリードインエリアの副信号として、従来のディスク管理情報以外の情報も記録し、このディスク管理情報以外の情報を処理することにより、音声信号の再生だけでなく付加価値をもった情報を出力するディスク及びディスク再生装置を提供することを目的とする。」
　
（ｅ）
「【００１１】
【課題を解決するための手段】本願の請求項１の発明は、リードインエリア，プログラムエリア，リードアウトエリアを含む記録媒体のトラックに主信号及び副信号を記録する情報記録ディスクであって、リードインエリアの副信号記録領域に、各トラックの主信号のデータの属性を示す制御コードと、ディスク管理情報と、ディスク管理情報以外のデータを示す制御コードと、ディスク管理情報以外のデータとしてプログラムデータ、画像データを含み、夫々の各データの属性を示すフラグと、を記録したことを特徴とするものである。
【００１２】又本願の請求項２の発明は、請求項１の情報記録ディスクを再生するディスク再生装置であって、情報記録ディスクの主信号と副信号を分離する主／副信号分離手段と、主／副信号分離手段から得られる副信号の制御コードを解析してディスク管理情報，画像情報，その他の情報を夫々識別する副信号解析手段と、ディスク管理情報を処理するディスク管理情報処理手段と、副信号解析手段から与えられる画像データを処理する画像データ処理手段と、ディスク管理情報以外のデータの属性を識別し、プログラムデータを含むデータを処理するデータ解析処理手段と、副信号解析手段の出力する制御コードに基づき主信号の音声データによって音声を出力する音声信号処理手段と、を具備することを特徴とするものである。」
　
（ｆ）
「【００１６】副信号解析手段１１は、主／副信号分離手段５からの副信号を解析して、ディスク管理情報，画像データ，プログラムデータを識別し、各処理手段にデータを送るものである。副信号解析手段１１が出力する制御コードが音声信号の再生であれば音声信号処理手段６にその信号を与える。制御コードがプログラムデータ又は画像データであれば、後述する画像データ処理手段１３又はデータ解析処理手段１４へ信号を与える。ディスク管理情報処理手段１２は、副信号のうち時間コード等のディスク管理情報を記憶及び処理するもので、副信号解析手段１１からの指示に基づいて、ディスク管理情報のデータを用いて信号読取制御手段４に信号を出力するものである。
【００１７】データ解析処理手段１４は、プログラムデータに基づいてＣＤ内の選曲，再生，一時停止，終了，プログラム演奏等の指示をしたり、その他のデータを処理するもので、その出力はデータ出力手段１５に与えられる。データ出力手段１５は、その他のデータ、例えばＣＤ１０のタイトル名や曲名等の文字情報を復調し、ディスク再生装置の表示部に文字情報等を出力する手段である。画像データ処理手段１３はディスク管理情報に含まれる画像データを処理し画像信号を作成するものであり、その出力は画像出力端子１６に与えられる。」
　
（ｇ）
「【００１８】図２は本発明の情報記録用ＣＤ１０に記録される副信号の詳細を示すテーブルである。本図において、制御コード（CNT ADR ）＝０１，POINT ＝Ａ０のトラックから、制御コード＝０１，POINT ＝０１，０２，０３，０４，０５の夫々のトラックまで、図５のテーブルと同一のデータが記録されている。又従来例と異なり、制御コード＝０Ｘ，POINT ＝＄＄のトラックには、プログラムデータ、その他のデータ、画像データ等の各々の属性を示すフラグが記録される。更にこのトラックのMIN ，SEC ，FRAM，ZERO，PMIN，PSEC，PFRAの各領域には、プログラムデータ，その他のデータ，画像データ等が記録される。」
　
（ｈ）
「【００１９】以上のように構成された本実施例のディスク再生装置の動作について説明する。ＣＤ１０をディスク再生装置にセットして電源を入れると、信号読取手段２によってＣＤ１０のリードインエリアから図２に示すディスク管理情報を含むデータが読み取られる。この信号は主／副信号分離手段５に出力されて、音声信号を記録した主信号と、音声信号以外の制御コードを記録した副信号に分離される。次に分離された副信号は副信号解析手段１１に与えられ、ここで副信号の中の制御コードと属性フラグによって信号の内容が識別される。この内、ＣＤ１０のディスク管理情報はディスク管理情報処理手段１２に出力されて処理される。又、ＣＤ１０のプログラムデータはデータ処理手段１４によって処理される。
【００２０】更に取り出されたプログラムデータに基づいて、信号読み取りの指示を信号読取制御手段４に与える。その他のデータはデータ処理手段１４によって処理され、例えばＣＤ１０のタイトル，録音された作品のアーティスト名等がデータ出力手段１５によって図示しない文字表示装置に出力される。更に画像データは画像データ処理手段１３によって処理され、画像の出力端子１６を介して図示しない画像表示装置に静止画像が表示される。この静止画像は、例えばＣＤ１０のジャケットの絵や収録曲に関連した画像である。」
　
（ｉ）
「【００２１】以上のように本実施例によれば、リードインエリアの副信号に従来のディスク管理情報に加えて、プログラムデータ，画像データやその他のデータを記録するようにしている。又、ディスク再生装置にもこれらのプログラムデータ，画像データ、その他のデータ等の処理手段を設けることにより、通常の音楽信号の再生を始める前に、プログラムデータに従ってＣＤ中の各トラックの先頭数秒間の音楽信号の再生したり、その他のデータとしてＣＤの記録内容に関する文字データを表示することができる。又、ＣＤの記録内容と関連する静止画像も表示することができる。」　
　
　上記記載事項及び図面の記載を総合勘案すると、結局、上記第１引用例には、次の発明が記載されている。
　
「ＣＤ１０のプログラムエリアにはトラックナンバ０１，０２，０３，０４，０５に応じて５つの曲が、リードインエリアには制御コード＝０１，POINT ＝０１，０２，０３，０４，０５の夫々のトラックまでには各トラックナンバの開始時間が絶対時間で管理情報として記録され、制御コード＝０Ｘ，POINT ＝＄＄のトラックには、プログラムデータ、その他のデータ、画像データ等の各々の属性を示すフラグが記録され、更にこのトラックのMIN ，SEC ，FRAM，ZERO，PMIN，PSEC，PFRAの各領域には、プログラムデータ，その他のデータ，画像データ等が記録されるＣＤ１０を再生するディスク再生装置において、
　前記ＣＤ１０の信号を読取る信号読取手段２と、
　前記ＣＤ１０を前記ディスク再生装置にセットして電源を入れると、リードインエリアから前記信号読取手段によって記録された信号を読み取り、読取られた前記信号を音声信号を記録した主信号と、音声信号以外の制御コードを記録した副信号に分離する主／副信号分離手段５と、分離された前記副信号の制御コードと属性フラグによって信号の内容を識別する副信号解析手段１１と、前記副信号解析手段によって前記副信号がプログラムデータであると解析された場合に副信号を処理し前記ＣＤ１０内の選曲、再生、一時停止、終了、プログラム演奏等の指示を行うデータ解析処理手段１４と、信号読取りのために該指示が与えられる信号読取制御手段４とからなる、
　ディスク再生装置」
　
２）第２引用例
　また、同じく前記当審における拒絶の理由で引用された特開平５−１７４４５０号公報（以下、「第２引用例」という）には図面とともに次の技術事項が記載されている。
（ｊ）
「【特許請求の範囲】
【請求項１】  プログラム映像信号及び商業広告映像信号が記録されると共に、
上記商業広告映像信号の記録部に対応して、順方向早送り禁止信号が記録されて成ることを特徴とするソフト記録媒体。
【請求項２】  プログラム映像信号及び商業広告映像信号が記録されると共に、
上記商業広告映像信号の記録部に対応して、順方向早送り禁止信号が記録されて成るソフト記録媒体の再生装置であって、
上記順方向早送り禁止信号の有無を検出する信号検出手段と、
記録媒体駆動装置を制御する制御手段とを有し、
上記信号検出手段よりの検出信号を上記制御手段に供給するようになし、上記信号検出手段から上記順方向早送り禁止信号が検出されたときは、上記制御手段の制御によって、上記記録媒体駆動装置における順方向早送り動作を、通常再生動作に変更するようにしたことを特徴とするソフト記録媒体の再生装置。」
　
（ｋ）　
「【００１５】従って、ＦＦ禁止信号が検出されたときは、動作モードがＣＵＥモード及びＦＦモードのとき、それぞれＣＵＥモード又はＦＦモードからＰＢモードに変更される。従って、かかるソフト磁気テープＴＰを、図２で説明したＶＴＲに掛けて再生した場合、磁気テープＴＰに記録された商業広告映像信号は必ず再生されることに成る。言い換えれば、商業広告映像信号を再生しないと、その後のプログラム映像信号は再生できないことに成る。」
　
（ｌ）
「【００１８】尚、上述の実施例では、本発明をビデオテープ及びそれを再生するＶＴＲに適用した場合に付いて述べたが、磁気ディスク、光磁気ディスク等及びその記録再生装置に適用することもできる。」
　
　
３．対　比
　
　本願発明と上記第１引用例に記載された発明とを対比する。
　
　第１引用例に記載された発明における「５つの曲」、「管理情報」、「ＣＤ１０」、「ディスク再生装置」、及び「信号読取手段２」は、本願発明における「複数の記録データ」、「トラックアクセス情報」、「記録媒体」、「データ再生装置」、及び「再生手段」に相当する。
　
　第１引用例に記載された発明においても、「ＣＤ１０」をディスク再生装置にセットして電源が入れられるとリードインエリアが読み取られ、リードインエリアに記録された副信号に基づき、プログラムエリアに記録された５つの曲に関してプログラム演奏がなされるものであるから、自動再生を行うものである。
　また、本願発明における「自動再生トラックとして記録される自動再生データ」とは、明細書の実施例の記載の段落【００８８】〜【００９１】、及び図１２〜１３の他の実施例の記載によれば、データ領域の先頭に自動再生トラックを独立に設ける実施例以外に、任意のトラックの一部の領域を自動再生トラックとしたものが記載されていることから、本願発明における「自動再生トラックとして記録される自動再生データ」は「記録データ」が兼用される場合も含むものと認められる。
　してみれば、第１引用例に記載されたプログラム演奏がなされるトラックナンバに応じて記録される「５つの曲」の一部が、本願発明における「自動再生トラック」及び「自動再生データ」に相当するものと認められる。
　
　第１引用例に記載された発明における「制御コード＝０Ｘ，POINT ＝＄＄のトラックには、プログラムデータ、その他のデータ、画像データ等の各々の属性を示すフラグが記録され、更にこのトラックのMIN ，SEC ，FRAM，ZERO，PMIN，PSEC，PFRAの各領域には、プログラムデータ，その他のデータ，画像データ等が記録される」とは、「制御コードと属性フラグ」によって「MIN ，SEC ，FRAM，ZERO，PMIN，PSEC，PFRAの各領域」に記載されるデータがプログラムデータか判断し、プログラムデータと判断された場合にはプログラムデータに基づきプログラム演奏すなわち自動再生を行うものであり、また、プログラムデータの中には自動再生を行う特定の領域（トラック）を指定する情報（すなわち、自動再生トラックにアクセスするための情報）が当然含まれているものと考えられることから、「制御コードと属性フラグ」によって「MIN ，SEC ，FRAM，ZERO，PMIN，PSEC，PFRAの各領域」に記載されるデータがプログラムデータと判断された場合には、「MIN ，SEC ，FRAM，ZERO，PMIN，PSEC，PFRAの各領域」に記載されるデータに含まれる領域（トラック）に関する情報が自動再生を行うトラックと判断しているものと考えられることから、第１引用例における「制御コードと属性フラグ」が本願発明における「自動再生トラック指定情報」に相当するものと認められる。
　
　第１引用例における「分離された前記副信号の制御コードと属性フラグによって信号の内容を識別する副信号解析手段１１と、前記副信号解析手段によって前記副信号がプログラムデータであると解析された場合に副信号を処理し前記ＣＤ１０内の選曲、再生、一時停止、終了、プログラム演奏等の指示を行うデータ解析処理手段１４と」は、「制御コードと属性フラグ」から副信号がプログラムデータである場合には、プログラムデータ（自動再生トラックにアクセスするための情報を含む）を含む副信号を「データ解析手段１４」に与えるものであるから、第１引用例に記載された発明における「副信号解析手段１１」が本願発明における「分離手段」に相当するものである。
　
　第１引用例に記載された発明における「副信号解析手段によって前記副信号がプログラムデータであると解析された場合に副信号を処理し前記ＣＤ１０内の選曲、再生、一時停止、終了、プログラム演奏等の指示を行うデータ解析処理手段１４と、信号読取りのために該指示が与えられる信号読取制御手段４」とは、「データ解析処理手段１４」によって副信号を処理して、信号読み取り指示を「信号読取制御手段４」に与えプログラム演奏を行うものであるから、第１引用例に記載された「データ解析処理手段１４」、及び「信号読取制御手段４」が、本願発明における「自動再生手段」に相当する。
　
　そうすると、本願発明と第１引用例に記載された発明とは、次の点で一致する。
　一致点
　
「複数のトラックとして記録されている複数の記録データと、複数の前記トラックにアクセスするためのトラックアクセス情報と、自動的に再生される自動再生トラックとして記録されている自動再生データと、前記自動再生トラックであることを指定している自動再生トラック指定情報と、および前記自動再生トラックにアクセスするための情報、が記録されている領域を備える記録媒体を再生するデータ再生装置において、
　前記記録媒体を再生する再生手段と、
　前記再生手段により再生された信号から、前記自動再生トラック指定情報及び前記自動再生トラックにアクセスするための情報を分離する分離手段と、
　前記分離手段により分離された前記自動再生トラック指定情報に対応して、前記記録媒体が装着された場合に前記自動再生トラックを自動的に再生する自動再生手段とを備えた、
　データ再生装置。」
　
一方、次の点で相違する。
　
（相違点１）
　自動再生トラックへアクセスするための情報が、本願発明では自動再生トラックの開始位置を表す自動再生トラック開始位置情報であるのに対して、第１引用例に記載された発明においてはこの点が特には示されていない点。
　
（相違点２）
　自動再生手段が、本願発明では自動再生トラックを再生中に他の再生トラックの再生が指令されても、自動再生トラックの終了位置まで再生を継続するのに対して、第１引用例に記載された発明においてはこの点が特には示されていない点。
　
　　
４．当審の判断
　
　そこで、上記各相違点について検討する。
１）相違点１について
　いわゆるＴＯＣにはデータ領域に記録される複数の記録データにアクセスするためにトラックアクセス情報が開始位置情報として記録されるものであり、また、特段の理由がない限り記録媒体に記録されるデータのフォーマットはデータによらず同一である方がデータの処理が容易であり、さらに、処理の時間も短縮できることから望ましいことは周知の事項であり、そして、第１引用例に記載された発明においては記録データにアクセスするための情報が開始位置情報、及び各記録データの時間として定義でき、さらに、「制御コードと属性フラグ」によって自動再生トラックであることの指定が行い得る点を考慮すれば、自動再生トラックにアクセスするための情報と、複数のデータにアクセスするためのトラックアクセス情報とを異なったフォーマットで記録しなければならないという特段の理由は認められないことから、第１引用例に記載された発明においても、自動再生トラックにアクセスするための情報を、複数のデータにアクセスするためのトラックアクセス情報とを同様のフォーマットで形成し、自動再生トラックの開始位置を表す自動再生トラック開始位置情報とすることは当業者が容易に想到し得たものである。
　
　　
２）相違点２について　
　第２引用例には、プログラム映像信号及び商業広告映像信号が記録されたソフト記録媒体において、その商業広告映像信号が必ず再生される発明、言い換えるとユーザーに見せたいトラックをスキップさせないようにする技術が開示されており、また、第１引用例に記載された発明においても自動的に再生がなされる部分はユーザーの意志によらず設定される部分であり、設定者にとってはスキップされないことを望む部分とも考えられることから、第１引用例に記載された発明に、第２引用例に記載された発明を適用して、自動再生手段が、自動再生トラックを再生中に他の再生トラックの再生が指令されても、自動再生トラックの終了位置まで再生を継続するようにすることは、当業者が容易になし得たものである。
　
　
５．むすび
　
　以上のとおりであって、本願発明は、上記各引用例に記載された発明、及び周知技術に基づいて当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。